(57)【特許請求の範囲】
【請求項１】
入力された利用者識別情報および検索語を送信し，受信した検索結果を表示するユーザ端末と、利用者識別情報および検索語を受信し，前記利用者識別情報に基づいて利用者を認定し，前記利用者により今回，および，過去に指定された検索語である複数の単語を含む検索語一覧，前記利用者により検索結果から過去に選択された複数の単語を含む選択情報一覧，および，複数の分野ごとに代表的な単語を含む分野構成表を参照して各分野の検索・選択の度合いを表す利用履歴情報を生成し，前記検索語を検索エンジンに供給し，前記検索エンジンから前記検索語による複数の検索結果情報を取得し，前記分野構成表を参照して各検索結果に含まれる単語から各検索結果情報ごとの各分野における単語の出現の度合いを表す構成情報を生成し，前記利用履歴情報と前記構成情報とを比較し、比較結果に基づいて各検索結果情報の優先順位を決定し、優先順位で各検索結果情報を表示させるように検索前記ユーザ端末へ検索結果情報を送信する情報提供端末と、前記ユーザ端末と前記情報提供端末とを相互に接続する通信ネットワークとを有することを特徴とする情報検索配信システム。
【請求項２】
請求項１記載の情報検索配信システムにおいて、前記情報提供端末は、利用者ＩＤを含む利用者識別情報，前記検索語一覧，および，前記選択情報一覧を格納した利用者データベースを備え、前記ユーザ端末からの検索語によるアクセスを受信すると、前記利用者データベースの前記検索語一覧，前記選択情報一覧を更新することを特徴とする情報検索配信システム。
【請求項３】
請求項１，または，２記載の情報検索配信システムにおいて、前記情報提供端末は、利用者の利用履歴情報に基づいて配信情報を検索する情報抽出手段を備え、抽出した配信情報を該当のユーザ端末に送信することを特徴とする情報検索配信システム。
【請求項４】
ユーザ端末が，入力された利用者識別情報および検索語を送信し，受信した検索結果を表示する手順と、
情報提供端末が，利用者識別情報および検索語を受信し，前記利用者識別情報に基づいて利用者を認定し，前記利用者により今回，および，過去に指定された検索語である複数の単語を含む検索語一覧，前記利用者により検索結果から過去に選択された複数の単語を含む選択情報一覧，および，複数の分野ごとに代表的な単語を含む分野構成表を参照して各分野の検索・選択の度合いを表す利用履歴情報を生成し，前記検索語を検索エンジンに供給し，前記検索エンジンから前記検索語による複数の検索結果情報を取得し，前記分野構成表を参照して各検索結果に含まれる単語から各検索結果情報ごとの各分野における単語の出現の度合いを表す構成情報を生成し，前記利用履歴情報と前記構成情報とを比較し、比較結果に基づいて各検索結果情報の優先順位を決定し、優先順位で各検索結果情報を表示させるように検索前記ユーザ端末へ検索結果情報を送信する手順と、
を含むことを特徴とする情報検索方法。
【請求項５】
前記情報提供端末が、利用者ＩＤを含む利用者識別情報，前記検索語一覧，および，前記選択情報一覧を格納した利用者データベースを備え、前記ユーザ端末からの検索語によるアクセスを受信すると、前記利用者データベースの前記検索語一覧，前記選択情報一覧を更新する手順を含むことを特徴とする請求項４記載の情報検索方法。
【請求項６】
ユーザ端末に，入力された利用者識別情報および検索語を送信し，受信した検索結果を表示する手順を実行させ、
情報提供端末に，利用者識別情報および検索語を受信し，前記利用者識別情報に基づいて利用者を認定し，前記利用者により今回，および，過去に指定された検索語である複数の単語を含む検索語一覧，前記利用者により検索結果から過去に選択された複数の単語を含む選択情報一覧，および，複数の分野ごとに代表的な単語を含む分野構成表を参照して各分野の検索・選択の度合いを表す利用履歴情報を生成し，前記検索語を検索エンジンに供給し，前記検索エンジンから前記検索語による複数の検索結果情報を取得し，前記分野構成表を参照して各検索結果に含まれる単語から各検索結果情報ごとの各分野における単語の出現の度合いを表す構成情報を生成し，前記利用履歴情報と前記構成情報とを比較し、比較結果に基づいて各検索結果情報の優先順位を決定し、優先順位で各検索結果情報を表示させるように検索前記ユーザ端末へ検索結果情報を送信する手順を実行させることを特徴とするプログラム。
【請求項７】
前記情報提供端末に、利用者ＩＤを含む利用者識別情報，前記検索語一覧，および，前記選択情報一覧を格納した利用者データベースを備え、前記ユーザ端末からの検索語によるアクセスを受信すると、前記利用者データベースの前記検索語一覧，前記選択情報一覧を更新する手順を実行させることを特徴とする請求項６記載のプログラム。
【発明の詳細な説明】
【０００１】
【発明の属する技術分野】
本発明は情報検索配信システム、情報検索方法、および、プログラムに関し、特に利用者の志向を把握して効果的に情報検索および情報配信を行う情報検索配信システム、情報検索方法、および、プログラムに関する。
【０００２】
【従来の技術】
図９は従来の情報検索システムの例を示す説明図である。同図において、ユーザ端末１１０から入力された検索語は通信ネットワーク２００および情報提供端末１２０を経由して検索エンジン１３０に至り、情報データベース１４０を探索する。そして、検索結果は上記とは逆にルートをたどり、ユーザ端末１１０に通知される。
【０００３】
この場合、検索処理の動作は利用者の志向に関わりなく、検索語に適合する全情報が検索対象となり、検索結果の適合順位は検索語の出現位置や回数などから決定されている。
【０００４】
また、情報の配信を希望すると、全ての配信対象情報が自動的に配信されている。
【０００５】
上記のように、従来の情報検索システムでは、利用者の利用志向が明確にされないので、インターネットを用いて情報を入手する際に、利用者が欲する情報とは関係の薄い情報が高い適合順位で入手されてしまう可能性がある。これは情報過多により、インターネットによる情報収集の利便性を損なう危険性をはらんでいる。
【０００６】
また、情報配信においても、送信先の選別方法が存在しないので、利用者が必要としていない情報を配信する可能性が高く、配信側の目的を十分に反映できないと考えられる。さらに、情報端末の全登録企業から利用者に向けて自動情報配信を行うことは、利用者の環境に対する負荷が過大となり、事実上不可能となっている。
【０００７】
上記のような情報検索システムの不都合を改善するために、まず検索対象情報を分野分けし、利用者の履歴や入力語，入力関連語がどの分野に近いかを調べることにより分野を特定し、その分野の情報を検索する方法が提案されている。
【０００８】
しかしながら、この方法では、一分野に特化せずに他分野にまたがるような情報は、その内容が十分に反映されない。例えばＡ分野に６０％，Ｂ分野に４０％の比重を持つ情報はＡ分野に分類され、Ｂ分野としての要素が反映されない恐れがある。
【０００９】
さらに、この場合、検索結果が分野分けされているので、利用者履歴が特定分野に集中する危険性がある。例えばＡ分野，Ｂ分野ともに利用者の志向に沿っていても、最初にＡ分野を選ぶと次回以降Ｂ分野に入りにくくなる。
【００１０】
また、各分野から検索語および検索関連語を抽出し、その検索の値がしきい値を越えている分野を検索対象とする方法も提案されている。
【００１１】
しかしながら、この方法では、各分野の要素は抽出できるが、特化した分野についてしか反映していない。例えばＡ分野の要素もＢ分野の要素も強い情報と、Ａ分野の要素は強いがＢ分野の要素が弱い情報とは情報の性質が違ってくる。また、分野分けによる上記の不都合は解消されない。
【００１２】
【発明が解決しようとする課題】
上記のように、従来の情報検索や情報配信においては、利用者の要求に十分に対応した情報を提供することが非常に難しい。たとえば、検索対象の情報を分野分けしたり、利用者の検索履歴を参照したりしても、利用者の情報取得目的を常に達成し得るとは限らない。
【００１３】
本発明の目的は、上記のような問題点を改善し、利用者の志向を反映し関連する分野の情報も幅広く探索するようにして効果的な検索を行うことができる情報検索配信システムおよびプログラムを提供することにある。
【００１４】
【課題を解決するための手段】
本発明の第１の情報検索配信システムは、入力された利用者識別情報および検索語を送信し，受信した検索結果を表示するユーザ端末と、利用者識別情報および検索語を受信し，前記利用者識別情報に基づいて利用者を認定し，前記利用者により過去に指定された検索語である複数の単語を含む検索語一覧，前記利用者により検索結果から過去に選択された複数の単語を含む選択情報一覧，および，複数の分野ごとに代表的な単語を含む分野構成表を参照して各分野の検索・選択の度合いを表す利用履歴情報を生成し，前記検索語を検索エンジンに供給し，前記検索エンジンから前記検索語による複数の検索結果情報を取得し，前記分野構成表を参照して各検索結果に含まれる単語から各検索結果情報ごとの各分野における単語の出現の度合いを表す構成情報を生成し，前記利用履歴情報と前記構成情報とを比較し、比較結果に基づいて各検索結果情報の優先順位を決定し、優先順位で各検索結果情報を表示させるように検索前記ユーザ端末へ検索結果情報を送信する情報提供端末と、前記ユーザ端末と前記情報提供端末とを相互に接続する通信ネットワークとを有することを特徴とする。
【００１５】
本発明の第２の情報検索配信システムは、前記第１の情報検索配信システムにおいて、前記情報提供端末は、利用者ＩＤを含む利用者識別情報，前記検索語一覧，および，前記選択情報一覧を格納した利用者データベースを備え、前記ユーザ端末からの検索語によるアクセスを受信すると、前記利用者データベースの前記検索語一覧，前記選択情報一覧を更新することを特徴とする。
【００１６】
本発明の第３の情報検索配信システムは、前記第１、または、第２の情報検索配信システムであって、前記情報提供端末は、利用者の利用履歴情報に基づいて配信情報を検索する情報抽出手段を備え、抽出した配信情報を該当のユーザ端末に送信することを特徴とする。
【００１７】
本発明の第１の情報検索方法は、ユーザ端末が，入力された利用者識別情報および検索語を送信し，受信した検索結果を表示する手順と、
情報提供端末が，利用者識別情報および検索語を受信し，前記利用者識別情報に基づいて利用者を認定し，前記利用者により過去に指定された検索語である複数の単語を含む検索語一覧，前記利用者により検索結果から過去に選択された複数の単語を含む選択情報一覧，および，複数の分野ごとに代表的な単語を含む分野構成表を参照して各分野の検索・選択の度合いを表す利用履歴情報を生成し，前記検索語を検索エンジンに供給し，前記検索エンジンから前記検索語による複数の検索結果情報を取得し，前記分野構成表を参照して各検索結果に含まれる単語から各検索結果情報ごとの各分野における単語の出現の度合いを表す構成情報を生成し，前記利用履歴情報と前記構成情報とを比較し、比較結果に基づいて各検索結果情報の優先順位を決定し、優先順位で各検索結果情報を表示させるように検索前記ユーザ端末へ検索結果情報を送信する手順と、
を含むことを特徴とする。
【００１８】
本発明の第２の情報検索方法は、前記本発明の第１の情報検索方法であって、前記情報提供端末が、利用者ＩＤを含む利用者識別情報，前記検索語一覧，および，前記選択情報一覧を格納した利用者データベースを備え、前記ユーザ端末からの検索語によるアクセスを受信すると、前記利用者データベースの前記検索語一覧，前記選択情報一覧を更新する手順を含むことを特徴とする。
【００１９】
本発明の第１のプログラムは、ユーザ端末に，入力された利用者識別情報および検索語を送信し，受信した検索結果を表示する手順を実行させ、
情報提供端末に，利用者識別情報および検索語を受信し，前記利用者識別情報に基づいて利用者を認定し，前記利用者により過去に指定された検索語である複数の単語を含む検索語一覧，前記利用者により検索結果から過去に選択された複数の単語を含む選択情報一覧，および，複数の分野ごとに代表的な単語を含む分野構成表を参照して各分野の検索・選択の度合いを表す利用履歴情報を生成し，前記検索語を検索エンジンに供給し，前記検索エンジンから前記検索語による複数の検索結果情報を取得し，前記分野構成表を参照して各検索結果に含まれる単語から各検索結果情報ごとの各分野における単語の出現の度合いを表す構成情報を生成し，前記利用履歴情報と前記構成情報とを比較し、比較結果に基づいて各検索結果情報の優先順位を決定し、優先順位で各検索結果情報を表示させるように検索前記ユーザ端末へ検索結果情報を送信する手順を実行させることを特徴とする。
【００２０】
本発明の第２のプログラムは、前記第１のプログラムであって、前記情報提供端末に、利用者ＩＤを含む利用者識別情報，前記検索語一覧，および，前記選択情報一覧を格納した利用者データベースを備え、前記ユーザ端末からの検索語によるアクセスを受信すると、前記利用者データベースの前記検索語一覧，前記選択情報一覧を更新する手順を実行させることを特徴とする。
【００２３】
【発明の実施の形態】
以下、本発明について図面を参照しながら説明する。
【００２４】
図１は本発明の実施の第一の形態を示す説明図である。同図において、本発明による情報検索配信システムは、入力された利用者識別情報および検索語を送信し，受信した検索結果を表示するユーザ端末１０と、利用者識別情報および検索語を受信し，前記利用者識別情報に基いて利用者を認定し，前記利用者の過去の利用履歴情報および検索情報の分野を区分する分野構成表を参照して新たな利用履歴情報を生成し，前記検索語を検索エンジン４０に供給し，前記検索エンジンから前記検索語による検索結果を取得し，前記利用履歴情報を参照して前記検索結果の優先順位を決定しそれを前記ユーザ端末へ送信する情報提供端末２０と、前記ユーザ端末と前記情報提供端末とを相互に接続する通信ネットワーク１００とを有する。
【００２５】
上記の情報提供端末は、利用者ＩＤを含む利用者識別情報とその利用履歴情報とを格納した利用者データベース３０を備え、前記利用履歴情報は検索語一覧，選択情報一覧，および更新履歴を含み、前記ユーザ端末がアクセスするとき前記利用者データベースの該当する情報を更新する。
【００２６】
また、上記の情報提供端末は、利用者の利用履歴情報に基いて配信情報を検索する情報抽出手段６０を備え、抽出した配信情報を該当のユーザ端末に送信する。
【００２７】
ここで、前記検索情報および前記配信情報は情報データベース５０を形成し、前記情報データベースは前記検索エンジンおよび前記情報抽出手段によってそれぞれアクセスされる。
【００２８】
ユーザ端末１０は、パーソナルコンピュータ等の情報処理装置である。また、ユーザ端末１０は、情報提供端末２０が通信ネットワーク１００上に提供しているインターネットコミュニティにアクセスし、検索語を情報提供端末２０に送信することで、情報を検索できる機能を備えている。ユーザ端末１０は、さらに、インターネットコミュニティより配信される情報を表示する機能を有する。
【００２９】
情報提供端末２０は、インターネットコミュニティの管理者により使用され、ワークステーション・サーバ等の情報処理装置によって構成される。情報提供端末２０は、複数の分野（機械、医療、コンピュータ等）における代表的な単語を分野構成表（図２参照）として持つ。情報提供端末２０は、利用者の操作によりユーザ端末１０が送出した利用者識別情報と検索語を受け取り、利用者データベース３０から利用履歴情報を取得し、検索エンジン４０で検索を行う機能を備えている。さらに、情報提供端末２０は、利用履歴情報を参照し検索結果の優先順位を変動させる機能を備えている。
【００３０】
また、情報提供端末２０は、利用者の操作によりユーザ端末１０が送出した利用者識別情報と，検索語と，選択情報を受け取り、利用者データベース３０の利用履歴情報を更新する機能を備えている。さらに、情報提供端末２０は、利用者の操作によりユーザ端末１０が送出した利用者識別情報を受け取り、利用者データベース３０から利用履歴情報を取得し、情報抽出機能６０で配信情報を抽出する機能を備えている。
【００３１】
利用者データベース３０は利用者識別情報と利用履歴情報を有している。利用者識別情報としては利用者ＩＤ、利用履歴情報としては検索語一覧，選択情報一覧，更新履歴等をそれぞれ含んでいる。
【００３２】
検索エンジン４０は、情報提供端末２０から受け取った検索語を用いて、情報データベース５０に対して検索を行う機能を備えている。
【００３３】
情報データベース５０は検索情報と配信情報を有している。検索情報としては、たとえばコミュニティ内の登録企業情報やニュース，一般のＷＥＢサイト等を含む。
【００３４】
情報抽出手段６０は、情報提供端末２０から受け取った利用履歴情報に基いて情報データベース５０の配信情報を抽出する機能を備えている。
【００３５】
図３は上記の情報検索配信システムの検索処理動作を示す流れ図である。同図において、まず、利用者は、自分のユーザ端末１０を介して、情報提供端末２０がインターネット（通信ネットワーク１００）上に開設しているインターネットコミュニティにアクセスする（ステップＡ１）。これに応答して、情報提供端末２０は利用者識別情報を取得する（ステップＡ２）。利用者は検索画面を起動し、検索語を入力後「検索」ボタンをクリックする（ステップＡ３）。
【００３６】
次に、情報提供端末２０は、検索語を受信すると、利用者識別情報を参照して、利用者データベース３０の利用履歴情報の検索語一覧を更新する（ステップＡ４）。また、情報提供端末２０は、利用者データベース３０の検索語一覧および選択情報一覧を分野構成表と比較し、合致もしくは類似する単語がある分野をカウントアップすることで利用履歴情報を取得する（ステップＡ５）。そして、情報提供端末２０は、検索語を検索エンジン４０に受け渡す（ステップＡ６）。
【００３７】
図４の下部に、利用者データベースおよび分野構成表から利用者Ｘの利用履歴情報を生成する様子を示す。ここで選択情報は、利用者Ｘが過去の検索時に検索結果から選択した情報である。
【００３８】
次に検索エンジン４０は、情報データベース５０に対して検索語を用いた検索をかけ（ステップＡ７）、検索結果を取得する（ステップＡ８）。
【００３９】
続いて情報提供端末２０は、得られた検索結果を利用履歴情報と比較することで適合順位を変動させる（ステップＡ９）。利用履歴情報は過去に利用者が利用した情報が記録されているので、利用者の志向が反映されている。比較による適合順位の変動は、まず検索結果として得られた情報を分野構成表と比較し、合致もしくは類似する単語がある分野をカウントアップすることで検索結果の構成情報を得る。
【００４０】
図４の上部に、情報データベースおよび分野構成表から情報ＢＢＢの構成情報を生成する様子を示す。
【００４１】
この構成情報と上記の利用履歴情報とを比較し、特定項目が基準値を超えているか（例：利用履歴情報のコンピュータ分野の選択回数が１０回を越えていれば、コンピュータ分野の比率の高い情報適合順位を高くする）、もしくは全項目によって形取られる波形がある程度似通っているか（例：利用履歴情報と検索結果の各分野の比率を比較する。差が１０％以内である分野が８０％以上ある情報は適合順位を高くし、２０％以下である情報は適合順位を低くする）といった基準で適合順位を変動させる。
【００４２】
図５に上記の構成情報および利用履歴情報の比較処理の様子を示す。さらに、図６に適合順位を変動させて検索結果を通知する様子を示す。
【００４３】
上記のようにして、必要とされる情報が優先的に選択された検索結果が得られることになる。情報提供端末２０は、検索結果をインターネットを経由して、ユーザ端末１０へ送信する（ステップＡ１０）。
【００４４】
利用者はユーザ端末１０を介して、検索結果から必要とする情報を選択し、選択情報として送信する（ステップＡ１１）。これに応答して、情報提供端末２０は選択情報を受信し、利用者データベース３０の選択情報一覧を更新する（ステップＡ１２）。また、情報提供端末２０は、情報データベース５０に選択情報を指定し（ステップＡ１３）、情報を取得する（ステップＡ１４）。さらに、情報提供端末２０は、取得した情報をユーザ端末１０に送信する（ステップＡ１５）。
【００４５】
上記のようにして、利用者は自分の志向に則した検索情報を入手することができる。
【００４６】
図７は上記の情報検索配信システムの配信処理動作を示す流れ図である。同図において、まず、利用者は、自分のユーザ端末１０を介して、情報提供端末２０がインターネット上に開設しているインターネットコミュニティにアクセスする（ステップＢ１）。これに応答して、情報提供端末２０は利用者識別情報を取得する（ステップＢ２）。
【００４７】
次に、情報提供端末２０は、利用者データベース３０に利用者識別情報を指定し（ステップＢ３）、利用者データベース３０の検索語一覧および選択情報一覧を分野構成表と比較し、図４に既述したように、合致もしくは類似する単語がある分野をカウントアップすることで利用履歴情報を取得する（ステップＢ４）。続いて、情報提供端末２０は、情報抽出手段６０を稼働する（ステップＢ５）。
【００４８】
情報抽出手段６０は、情報データベース５０から、たとえばコミュニティ内の企業等が登録した配信対象となっている情報を探索し（ステップＢ６）、配信情報を取得する（ステップＢ７）。
【００４９】
次に、情報提供端末２０は、得られた配信情報を上記の利用履歴情報と比較することで、情報を抽出する（ステップＢ８）。利用履歴情報は過去に利用者が利用した情報が記録されているので、利用者の志向が反映されている。利用履歴情報による配信情報の抽出には、検索時の適合順位の変動と同じ手法を用いる（図５および図６参照）。
【００５０】
さらに、情報提供端末２０は、抽出された情報をユーザ端末１０へ配信する（ステップＢ９）。
【００５１】
上記のようにして、利用者は自分の志向に則した配信情報を入手することができる。
【００５２】
図８は本発明の実施の第二の形態を示す説明図である。同図において、本発明による情報検索配信システムは、情報選別手段７０を介して利用者データベース３０に接続されたユーザ端末１０ａと、それぞれ検索エンジン４０および情報抽出手段６０を介して情報データベース５０に接続された情報提供端末２０ａとを有する。すなわち、上記の情報検索配信システムは、情報選別手段７０および利用者データベース３０をユーザ端末１０ａに備えている。
【００５３】
ここで、情報選別手段７０は、利用者データベース３０より利用履歴情報を得る機能と情報提供端末２０ａから送信された検索結果の優先順位を変動させる機能と、利用者データベース３０の利用履歴情報を更新する機能とを備えている。優先順位の変動方式は既述した実施の第一の形態と同様である。
【００５４】
上記のように、本実施の形態では、利用者が特定のネットワークコミュニティに属している必要がないので、利用者が任意の検索サイトを活用する場合にも、効果的な検索を行うことができる。
【００５５】
なお、本発明による情報検索配信システムは、情報提供端末およびユーザ端末の主記憶（図示していない。）に保持されたプログラムを実行することによって動作する。このプログラムは、通常、ハードディスクなどの二次記憶に格納されており、情報検索配信システムの運用時に主記憶にロードされ実行される。
【００５６】
【発明の効果】
以上、詳細に説明したように、本発明によれば次の効果が得られる。
【００５７】
第一の効果は、利用者の志向を反映させるために検索情報ごとに各分野の要素割合を設定するようにしているので、他分野にまたがる情報も検索結果に効果的に反映させることができる。すなわち、検索対象情報を分野分けしていないので、利用履歴が特定分野に誘導される危険を回避することを期待できる。
【００５８】
第二の効果は、情報ごとに各分野の要素割合を設定できるので、分野の関連性が強い場合だけでなく、分野の関連性が弱い場合も検索の条件として利用することができる。すなわち、それぞれの分野で要素の強弱がどれだけ近似しているかを検索結果に反映することができる。
【００５９】
上記の効果により、利用者が検索を行う際に、志向に沿った情報を入手しやすくなる。特に、検索結果の数が多く、必要とする情報を限定するのに手間がかかる場合、効果は高まる。
【００６０】
さらに、利用者に対して的確な情報提供や案内を行うことができる。たとえば、企業が新規顧客を開拓する場合などに、確実に対象となる利用者を限定して案内を出すことが可能となる。また、利用者の側も興味のある分野の企業を発見し、配信依頼をする手間が省け、興味のない分野の企業からの自動配信を抑制する効果もある。
【図面の簡単な説明】
【図１】本発明の実施の第一の形態を示す説明図。
【図２】情報の分野を示す分野構成表の説明図。
【図３】本発明の動作を示す流れ図（１）。
【図４】検索結果の構成情報および利用履歴情報の生成動作を示す説明図。
【図５】利用履歴情報と検索結果の構成情報との比較動作を示す説明図。
【図６】検索結果の順位変更動作を示す説明図。
【図７】本発明の動作を示す流れ図（２）。
【図８】本発明の実施の第二の形態を示す説明図。
【図９】従来の情報検索システムの例を示す説明図。
【符号の説明】
１０，１０ａ    ユーザ端末
２０，２０ａ    情報提供端末
３０    利用者データベース
４０    検索エンジン
５０    情報データベース
６０    情報抽出手段
７０    情報選別手段
１００    通信ネットワーク
【図１】
0003730878.tif 000002
【図２】
0003730878.tif 000003
【図３】
0003730878.tif 000004
【図４】
0003730878.tif 000005
【図５】
0003730878.tif 000006
【図６】
0003730878.tif 000007
【図７】
0003730878.tif 000008
【図８】
0003730878.tif 000009
【図９】
0003730878.tif 000010